(57)【要約】【課題】ラミネート基材をカードに貼合する際に位置決めでき、しかも簡便に製造でき、少量生産も可能なラミネート基材貼合用シートを提供する。【解決手段】本発明のラミネート基材貼合用シート１は、折り曲げ線Ｍを境界にして互いに隣接するカード位置決め部１０ａとラミネート基材供給部２０ａとを備え、カード位置決め部１０ａは、略中央にカードと同形状のカード嵌め込み部１１を有し、ラミネート基材供給部２０ａは、粘着シートＡに第１の打ち抜きＬ１により形成された第１の領域２１を有すると共に、第１の打ち抜きＬ１と重複しないように剥離シートＢに第２の打ち抜きＬ２により形成された第３の領域２３を有し、第３の領域２３には第１の領域２１の一部が重なっている。【選択図】図２
2010149351.tif 000002
【特許請求の範囲】
【請求項１】
カードの表面に貼合されるラミネート基材および粘着剤層を備える粘着シートと、該粘着シートの粘着剤層の、ラミネート基材と反対側の面に設けられた剥離シートとを有するラミネート基材貼合用シートであって、
折り曲げ線を境界にして互いに隣接するカード位置決め部とラミネート基材供給部とを備え、
カード位置決め部は、略中央に、カードと同形状で、使用時までには少なくとも剥離シートが除去されるカード嵌め込み部を有し、
ラミネート基材供給部は、前記折り曲げ線に沿ってカード位置決め部に折り重ねた際に前記カード嵌め込み部と重なる部分の周縁に沿って粘着シートに形成された第１の打ち抜きにより第１の打ち抜きの内側の第１の領域と第１の打ち抜きの外側の第２の領域とに区分されると共に、前記第１の打ち抜きと重複しないように剥離シートに形成された第２の打ち抜きにより第２の打ち抜きより内側の第３の領域と第２の打ち抜きの外側の第４の領域とに区分され、第３の領域には第１の領域の一部が重なっていることを特徴とするラミネート基材貼合用シート。
【請求項２】
カードの表面に貼合されるラミネート基材および粘着剤層を備える粘着シートと、該粘着シートの粘着剤層の、ラミネート基材と反対側の面に設けられた剥離シートとを有するラミネート基材貼合用シートであって、
カード位置決め部と、該カード位置決め部に第１の折り曲げ線を境界にして隣接する第１のラミネート基材供給部と、前記カード位置決め部に第２の折り曲げ線を境界にして隣接する第２のラミネート基材供給部とを備え、
カード位置決め部は、略中央に、カードと同形状で、使用時までには少なくとも剥離シートが除去されるカード嵌め込み部を有し、
第１のラミネート基材供給部は、前記第１の折り曲げ線に沿ってカード位置決め部に折り重ねた際に前記カード嵌め込み部と重なる部分の周縁に沿って粘着シートに形成された第１の打ち抜きにより第１の打ち抜きの内側の第１の領域と第１の打ち抜きの外側の第２の領域とに区分されると共に、前記第１の打ち抜きと重複しないように剥離シートに形成された第２の打ち抜きにより第２の打ち抜きより内側の第３の領域と第２の打ち抜きの外側の第４の領域とに区分され、第３の領域には第１の領域の一部が重なっており、
第２のラミネート基材供給部は、前記第２の折り曲げ線に沿ってカード位置決め部に折り重ねた際に前記カード嵌め込み部と重なる部分の周縁に沿って粘着シートに形成された第１の打ち抜きにより第１の打ち抜きの内側の第１の領域と第１の打ち抜きの外側の第２の領域とに区分されると共に、前記第１の打ち抜きと重複しないように剥離シートに形成された第２の打ち抜きにより第２の打ち抜きより内側の第３の領域と第２の打ち抜きの外側の第４の領域とに区分され、第３の領域には第１の領域の一部が重なっていることを特徴とするラミネート基材貼合用シート。
【請求項３】
カードの表面に貼合されるラミネート基材および粘着剤層を備える粘着シートと、該粘着シートの粘着剤層の、ラミネート基材と反対側の面に設けられた剥離シートとを有するラミネート基材貼合用シートであって、
折り曲げ線を境界にして互いに隣接するカード位置決め部とラミネート基材供給部とを備え、
カード位置決め部は、略中央に、カードと同形状で、使用時までには少なくとも剥離シートが除去されるカード嵌め込み部を有し、
ラミネート基材供給部は、前記折り曲げ線に沿ってカード位置決め部に折り重ねた際に前記カード嵌め込み部と重なる部分の内側に形成された第１の領域と該第１の領域より外側の第２の領域とに区分され、該第２の領域は、少なくともカード位置決め部に折り重ねた際にカード嵌め込み部に重なる部分の粘着シートが除去されていると共に、前記第１の領域の周縁と重複しないように剥離シートに形成された打ち抜きにより該打ち抜きの内側の第３の領域と該打ち抜きの外側の第４の領域とに区分され、第３の領域には第１の領域の一部が重なっていることを特徴とするラミネート基材貼合用シート。
【請求項４】
カードの表面に貼合されるラミネート基材および粘着剤層を備える粘着シートと、該粘着シートの粘着剤層の、ラミネート基材と反対側の面に設けられた剥離シートとを有するラミネート基材貼合用シートであって、
カード位置決め部と、該カード位置決め部に第１の折り曲げ線を境界にして隣接する第１のラミネート基材供給部と、前記カード位置決め部に第２の折り曲げ線を境界にして隣接する第２のラミネート基材供給部とを備え、
カード位置決め部は、略中央に、カードと同形状で、使用時までには少なくとも剥離シートが除去されるカード嵌め込み部を有し、
第１のラミネート基材供給部は、前記第１の折り曲げ線に沿ってカード位置決め部に折り重ねた際に前記カード嵌め込み部と重なる部分の内側に形成された第１の領域と該第１の領域より外側の第２の領域とに区分され、該第２の領域は、少なくともカード位置決め部に折り重ねた際にカード嵌め込み部に重なる部分の粘着シートが除去されていると共に、前記第１の領域の周縁と重複しないように剥離シートに形成された打ち抜きにより該打ち抜きの内側の第３の領域と該打ち抜きの外側の第４の領域とに区分され、第３の領域には第１の領域の一部が重なっており、
第２のラミネート基材供給部は、前記第２の折り曲げ線に沿ってカード位置決め部に折り重ねた際に前記カード嵌め込み部と重なる部分の内側に形成された第１の領域と該第１の領域より外側の第２の領域とに区分され、該第２の領域は、少なくともカード位置決め部に折り重ねた際にカード嵌め込み部に重なる部分の粘着シートが除去されていると共に、前記第１の領域の周縁と重複しないように剥離シートに形成された打ち抜きにより該打ち抜きの内側の第３の領域と該打ち抜きの外側の第４の領域とに区分され、第３の領域には第１の領域の一部が重なっていることを特徴とするラミネート基材貼合用シート。
【請求項５】
カードの表面に貼合されるラミネート基材および粘着剤層を備える粘着シートと、該粘着シートの粘着剤層の、ラミネート基材と反対側の面に設けられた剥離シートとを有するラミネート基材貼合用シートであって、
カード位置決め部と、該カード位置決め部に第１の折り曲げ線を境界にして隣接する第１のラミネート基材供給部と、前記カード位置決め部に第２の折り曲げ線を境界にして隣接する第２のラミネート基材供給部とを備え、
カード位置決め部は、略中央に、カードと同形状で、使用時までには少なくとも剥離シートが除去されるカード嵌め込み部を有し、
第１のラミネート基材供給部は、前記第１の折り曲げ線に沿ってカード位置決め部に折り重ねた際に前記カード嵌め込み部と重なる部分の周縁に沿って粘着シートに形成された第１の打ち抜きにより第１の打ち抜きの内側の第１の領域と第１の打ち抜きの外側の第２の領域とに区分されると共に、前記第１の打ち抜きと重複しないように剥離シートに形成された第２の打ち抜きにより第２の打ち抜きより内側の第３の領域と第２の打ち抜きの外側の第４の領域とに区分され、第３の領域には第１の領域の一部が重なっており、
第２のラミネート基材供給部は、前記第２の折り曲げ線に沿ってカード位置決め部に折り重ねた際に前記カード嵌め込み部と重なる部分の内側に形成された第１の領域と該第１の領域より外側の第２の領域とに区分され、該第２の領域は、少なくともカード位置決め部に折り重ねた際にカード嵌め込み部に重なる部分の粘着シートが除去されていると共に、前記第１の領域の周縁と重複しないように剥離シートに形成された打ち抜きにより該打ち抜きの内側の第３の領域と該打ち抜きの外側の第４の領域とに区分され、第３の領域には第１の領域の一部が重なっていることを特徴とするラミネート基材貼合用シート。
【請求項６】
第１の領域の一部に粘着シートが除去された粘着シート除去部を有する請求項１〜５のいずれかに記載のラミネート基材貼合用シート。
【請求項７】
カード位置決め部の剥離シートは、カード嵌め込み部の輪郭に沿って形成された打ち抜きを有して、使用時にカード嵌め込み部の剥離シートが剥離可能にされていると共に、該剥離シートが除去されることによって露出する粘着シートの粘着剤層に、再剥離可能な粘着力に調整する印刷処理が施されている請求項１〜６のいずれかに記載のラミネート基材貼合用シート。
【発明の詳細な説明】
【技術分野】
【０００１】
本発明は、会員証等のカードにラミネート基材を貼り合せる際に使用されるラミネート基材貼合用シートに関する。
【背景技術】
【０００２】
カードの表面に、表面保護のために透明フィルムを貼り合せたり、意匠性を高めるために装飾フィルムを貼り合せることがある。例えば、会員証のカードの表面に、氏名や住所等を印字した後、印字面を保護するために透明フィルムを貼合することがある。
特許文献１には、カードの片面に透明フィルムを貼合する際に使用する積層シートが開示されている。
特許文献１に記載の積層シートは、片面が離型面になっているカード用紙と、透明フィルムおよび粘着剤層を備える透明粘着シートと、支持フィルムとを有し、カード用紙の離型面と透明粘着シートの粘着剤層とが接し、透明粘着シートの透明フィルムと支持フィルムとが擬似接着され、カード用紙および透明粘着シートがカードの形状に打ち抜かれている。
この積層シートでは、透明粘着シートから剥離されて取り出されたカードを表裏反転させ、透明粘着シートの粘着剤層に貼着して、透明粘着シートをカードに転写させる。したがって、カードに対して透明粘着シートを正確に位置合わせして貼合させることができる。
【特許文献１】登録実用新案公報第３０５８９９６号公報
【発明の開示】
【発明が解決しようとする課題】
【０００３】
しかしながら、特許文献１に記載の積層シートでは、擬似接着層を有し、複雑な積層構成になっている。そのため、製造の工程が複雑になると共に、少量生産に適さないという問題を有していた。
そこで、本発明は、ラミネート基材をカードに貼合する際に位置決めでき、しかも簡便に製造でき、少量生産も可能なラミネート基材貼合用シートを提供することを目的とする。
【課題を解決するための手段】
【０００４】
本発明は、以下の構成を有する。
［１］  カードの表面に貼合されるラミネート基材および粘着剤層を備える粘着シートと、該粘着シートの粘着剤層の、ラミネート基材と反対側の面に設けられた剥離シートとを有するラミネート基材貼合用シートであって、
折り曲げ線を境界にして互いに隣接するカード位置決め部とラミネート基材供給部とを備え、
カード位置決め部は、略中央に、カードと同形状で、使用時までには少なくとも剥離シートが除去されるカード嵌め込み部を有し、
ラミネート基材供給部は、前記折り曲げ線に沿ってカード位置決め部に折り重ねた際に前記カード嵌め込み部と重なる部分の周縁に沿って粘着シートに形成された第１の打ち抜きにより第１の打ち抜きの内側の第１の領域と第１の打ち抜きの外側の第２の領域とに区分されると共に、前記第１の打ち抜きと重複しないように剥離シートに形成された第２の打ち抜きにより第２の打ち抜きより内側の第３の領域と第２の打ち抜きの外側の第４の領域とに区分され、第３の領域には第１の領域の一部が重なっていることを特徴とするラミネート基材貼合用シート。
［２］  カードの表面に貼合されるラミネート基材および粘着剤層を備える粘着シートと、該粘着シートの粘着剤層の、ラミネート基材と反対側の面に設けられた剥離シートとを有するラミネート基材貼合用シートであって、
カード位置決め部と、該カード位置決め部に第１の折り曲げ線を境界にして隣接する第１のラミネート基材供給部と、前記カード位置決め部に第２の折り曲げ線を境界にして隣接する第２のラミネート基材供給部とを備え、
カード位置決め部は、略中央に、カードと同形状で、使用時までには少なくとも剥離シートが除去されるカード嵌め込み部を有し、
第１のラミネート基材供給部は、前記第１の折り曲げ線に沿ってカード位置決め部に折り重ねた際に前記カード嵌め込み部と重なる部分の周縁に沿って粘着シートに形成された第１の打ち抜きにより第１の打ち抜きの内側の第１の領域と第１の打ち抜きの外側の第２の領域とに区分されると共に、前記第１の打ち抜きと重複しないように剥離シートに形成された第２の打ち抜きにより第２の打ち抜きより内側の第３の領域と第２の打ち抜きの外側の第４の領域とに区分され、第３の領域には第１の領域の一部が重なっており、
第２のラミネート基材供給部は、前記第２の折り曲げ線に沿ってカード位置決め部に折り重ねた際に前記カード嵌め込み部と重なる部分の周縁に沿って粘着シートに形成された第１の打ち抜きにより第１の打ち抜きの内側の第１の領域と第１の打ち抜きの外側の第２の領域とに区分されると共に、前記第１の打ち抜きと重複しないように剥離シートに形成された第２の打ち抜きにより第２の打ち抜きより内側の第３の領域と第２の打ち抜きの外側の第４の領域とに区分され、第３の領域には第１の領域の一部が重なっていることを特徴とするラミネート基材貼合用シート。
［３］  カードの表面に貼合されるラミネート基材および粘着剤層を備える粘着シートと、該粘着シートの粘着剤層の、ラミネート基材と反対側の面に設けられた剥離シートとを有するラミネート基材貼合用シートであって、
折り曲げ線を境界にして互いに隣接するカード位置決め部とラミネート基材供給部とを備え、
カード位置決め部は、略中央に、カードと同形状で、使用時までには少なくとも剥離シートが除去されるカード嵌め込み部を有し、
ラミネート基材供給部は、前記折り曲げ線に沿ってカード位置決め部に折り重ねた際に前記カード嵌め込み部と重なる部分の内側に形成された第１の領域と該第１の領域より外側の第２の領域とに区分され、該第２の領域は、少なくともカード位置決め部に折り重ねた際にカード嵌め込み部に重なる部分の粘着シートが除去されていると共に、前記第１の領域の周縁と重複しないように剥離シートに形成された打ち抜きにより該打ち抜きの内側の第３の領域と該打ち抜きの外側の第４の領域とに区分され、第３の領域には第１の領域の一部が重なっていることを特徴とするラミネート基材貼合用シート。
［４］  カードの表面に貼合されるラミネート基材および粘着剤層を備える粘着シートと、該粘着シートの粘着剤層の、ラミネート基材と反対側の面に設けられた剥離シートとを有するラミネート基材貼合用シートであって、
カード位置決め部と、該カード位置決め部に第１の折り曲げ線を境界にして隣接する第１のラミネート基材供給部と、前記カード位置決め部に第２の折り曲げ線を境界にして隣接する第２のラミネート基材供給部とを備え、
カード位置決め部は、略中央に、カードと同形状で、使用時までには少なくとも剥離シートが除去されるカード嵌め込み部を有し、
第１のラミネート基材供給部は、前記第１の折り曲げ線に沿ってカード位置決め部に折り重ねた際に前記カード嵌め込み部と重なる部分の内側に形成された第１の領域と該第１の領域より外側の第２の領域とに区分され、該第２の領域は、少なくともカード位置決め部に折り重ねた際にカード嵌め込み部に重なる部分の粘着シートが除去されていると共に、前記第１の領域の周縁と重複しないように剥離シートに形成された打ち抜きにより該打ち抜きの内側の第３の領域と該打ち抜きの外側の第４の領域とに区分され、第３の領域には第１の領域の一部が重なっており、
第２のラミネート基材供給部は、前記第２の折り曲げ線に沿ってカード位置決め部に折り重ねた際に前記カード嵌め込み部と重なる部分の内側に形成された第１の領域と該第１の領域より外側の第２の領域とに区分され、該第２の領域は、少なくともカード位置決め部に折り重ねた際にカード嵌め込み部に重なる部分の粘着シートが除去されていると共に、前記第１の領域の周縁と重複しないように剥離シートに形成された打ち抜きにより該打ち抜きの内側の第３の領域と該打ち抜きの外側の第４の領域とに区分され、第３の領域には第１の領域の一部が重なっていることを特徴とするラミネート基材貼合用シート。
［５］  カードの表面に貼合されるラミネート基材および粘着剤層を備える粘着シートと、該粘着シートの粘着剤層の、ラミネート基材と反対側の面に設けられた剥離シートとを有するラミネート基材貼合用シートであって、
カード位置決め部と、該カード位置決め部に第１の折り曲げ線を境界にして隣接する第１のラミネート基材供給部と、前記カード位置決め部に第２の折り曲げ線を境界にして隣接する第２のラミネート基材供給部とを備え、
カード位置決め部は、略中央に、カードと同形状で、使用時までには少なくとも剥離シートが除去されるカード嵌め込み部を有し、
第１のラミネート基材供給部は、前記第１の折り曲げ線に沿ってカード位置決め部に折り重ねた際に前記カード嵌め込み部と重なる部分の周縁に沿って粘着シートに形成された第１の打ち抜きにより第１の打ち抜きの内側の第１の領域と第１の打ち抜きの外側の第２の領域とに区分されると共に、前記第１の打ち抜きと重複しないように剥離シートに形成された第２の打ち抜きにより第２の打ち抜きより内側の第３の領域と第２の打ち抜きの外側の第４の領域とに区分され、第３の領域には第１の領域の一部が重なっており、
第２のラミネート基材供給部は、前記第２の折り曲げ線に沿ってカード位置決め部に折り重ねた際に前記カード嵌め込み部と重なる部分の内側に形成された第１の領域と該第１の領域より外側の第２の領域とに区分され、該第２の領域は、少なくともカード位置決め部に折り重ねた際にカード嵌め込み部に重なる部分の粘着シートが除去されていると共に、前記第１の領域の周縁と重複しないように剥離シートに形成された打ち抜きにより該打ち抜きの内側の第３の領域と該打ち抜きの外側の第４の領域とに区分され、第３の領域には第１の領域の一部が重なっていることを特徴とするラミネート基材貼合用シート。
［６］  第１の領域の一部に粘着シートが除去された粘着シート除去部を有する［１］〜［５］のいずれかに記載のラミネート基材貼合用シート。
［７］  カード位置決め部の剥離シートは、カード嵌め込み部の輪郭に沿って形成された打ち抜きを有して、使用時にカード嵌め込み部の剥離シートが剥離可能にされていると共に、該剥離シートが除去されることによって露出する粘着シートの粘着剤層に、再剥離可能な粘着力に調整する印刷処理が施されている［１］〜［６］のいずれかに記載のラミネート基材貼合用シート。
ここで、上記「使用時までには少なくとも剥離シートが除去されるカード嵌め込み部」は、使用前に少なくとも剥離シートが打ち抜かれて除去されているもの、使用の際に少なくとも剥離シートが除去されるものの両方を含む。すなわち、（Ａ）カード位置決め部は、略中央に、カードと同形状で、使用時までに剥離シートおよび粘着シートが除去されたカード嵌め込み部を有する形態、（Ｂ）カード位置決め部は、略中央に、カードと同形状のカード嵌め込み部を有し、カード位置決め部の剥離シートは、カード嵌め込み部の輪郭に沿って形成された打ち抜きを有して、使用時にカード嵌め込み部の剥離シートが剥離可能にされている形態の両方を含む。
【発明の効果】
【０００５】
本発明のラミネート基材貼合用シートによれば、ラミネート基材をカードに貼合する際に位置決めでき、しかも汎用の粘着シートを用いて簡便に製造でき、少量生産も可能である。
【発明を実施するための最良の形態】
【０００６】
＜第１の実施形態＞
本発明のラミネート基材貼合用シートの第１の実施形態について説明する。
図１，２に、本実施形態のラミネート基材貼合用シートを示す。本実施形態のラミネート基材貼合用シート１は、カードの表面に貼合されるラミネート基材Ａ１の片面に粘着剤層Ａ２が設けられた粘着シートＡと、粘着剤層Ａ２の、ラミネート基材Ａ１と反対側の面に設けられた剥離シートＢとを有する矩形状のシートである。
本実施形態のラミネート基材貼合用シート１は、長辺方向の中央に設けられた折り曲げ線Ｍを境界にして互いに隣接するカード位置決め部１０ａとラミネート基材供給部２０ａとを備える。カード位置決め部１０ａおよびラミネート基材供給部２０ａは、各々、矩形状であり、カード位置決め部１０ａおよびラミネート基材供給部２０ａの各長辺は、ラミネート基材貼合用シート１の長辺に沿っている。
【０００７】
（カード位置決め部）
本実施形態におけるカード位置決め部１０ａは、略中央に、カードと同形状で、粘着シートおよび剥離シートが共に除去されたカード嵌め込み部１１と、カード嵌め込み部１１より外側の部分で、粘着シートおよび剥離シートが共に除去されていない非嵌め込み部１２とを有する。
カード嵌め込み部１１の長辺は、ラミネート基材貼合用シート１の長辺に平行になっている。ここで、本実施形態におけるカードは、略矩形状でＩＳＯ７８１０のＩＤ−１で規格された寸法（８５．６０ｍｍ×５３．９８ｍｍ）の標準サイズのカードである。
【０００８】
（ラミネート基材供給部）
本実施形態におけるラミネート基材供給部２０ａは、折り曲げ線Ｍに沿ってカード位置決め部１０ａに折り重ねた際にカード嵌め込み部１１と重なる部分の周縁に沿って粘着シートＡに形成された第１の打ち抜きＬ１により、第１の打ち抜きＬ１より内側の第１の領域２１と、第１の打ち抜きＬ１より外側の第２の領域２２とに区分されている。第１の領域２１の粘着シートＡは第２の領域２２の粘着シートＡから分離可能になっている。
また、ラミネート基材供給部２０ａは、剥離シートＢに形成された第２の打ち抜きＬ２により、第２の打ち抜きＬ２の内側の第３の領域２３と、第２の打ち抜きＬ２の内側の第４の領域２４とに区分されている。本実施形態における第２の打ち抜きＬ２は、第１の打ち抜きＬ１と重複しないように、第１の打ち抜きＬ１に重なる部分より内側に形成されている。第２の打ち抜きＬ２により、第３の領域２３の剥離シートＢは第４の領域２４の剥離シートＢから分離可能になっている。また、本実施形態における第３の領域２３は、第１の領域２１の略中央部に重なっている。
【０００９】
また、第４の領域２４には、第２の打ち抜きＬ２からラミネート基材供給部２０ａの長辺の周縁α，βに延び、折り曲げ線Ｍに平行な第３の打ち抜きＬ３が形成されている。また、第４の領域２４には、折り曲げ線Ｍと第１の領域２１との間に、折り曲げ線Ｍに平行な第４の打ち抜きＬ４が形成されている。
【００１０】
第１の実施形態における第１の打ち抜きＬ１、第２の打ち抜きＬ２、第３の打ち抜きＬ３および第４の打ち抜きＬ４は、粘着シートＡまたは剥離シートＢを連続的に切り込んだ連続切り込み線であってもよいし、粘着シートＡまたは剥離シートＢを断続的に切り込んだ破断線（ミシン目）であってもよいが、連続切り込み線であることが好ましい。第１の打ち抜きＬ１が連続切り込み線であれば、第１の領域２１の粘着シートＡの周縁が滑らかな形状になる。第２の打ち抜きＬ２、第３の打ち抜きＬ３および第４の打ち抜きＬ４が連続切り込み線であれば、剥離シートＢを剥離しやすくなる。
【００１１】
（粘着シート）
［ラミネート基材］
粘着シートＡを構成するラミネート基材Ａ１としては、例えば、紙類、プラスチックフィルム類等を使用できる。紙類としては、キャストコート紙、アート紙、コート紙、上質紙、クラフト紙、グラシン紙等が挙げられる。プラスチックフィルム類としては、ポリプロピレンやポリエチレン、ポリエチレンテレフタレート、ポリ塩化ビニル等の各種高分子フィルムが挙げられる。また、蒸着紙、合成紙、布、不織布等も使用できる。さらに、これらが複数積層した積層体などを適宜採用することができる。
第１の領域２１を貼合後にもカードに記載された情報を視認できるようにするためには、ラミネート基材Ａ１として、透明なプラスチックフィルムを用いることが好ましい。透明なプラスチックフィルムとしては、ポリエチレンフィルム、ポリエチレンテレフタレートフィルムが好適に用いられる。
ラミネート基材Ａ１として、紙類を用いた場合には、カードに第１の領域２１を貼合した後に、第１の領域２１に筆記できる。
【００１２】
［粘着剤層］
粘着剤層Ａ２としては、例えば、ゴム系、アクリル系、ウレタン系、ビニルエーテル系等の任意の粘着剤を使用できる。これらの中でも、耐候性、透明性等に優れ、広範な用途に使用できることから、アクリル系粘着剤が好ましく、アクリル系粘着剤としては、エマルジョン型、溶剤型、ホットメルト型等があり、本発明においては、いずれの型のものも使用できる。これらの中でも、安全面、品質面、コスト面からエマルジョン型アクリル系粘着剤が好ましい。
さらに、粘着剤層Ａ２は、必要に応じて他の任意成分を含有してもよい。他の任意成分としては、タッキファイヤー、粘着性微球体、増粘剤、ｐＨ調整剤、消泡剤、防腐防黴剤、顔料、無機充填剤、安定剤、濡れ剤、湿潤剤等が挙げられる。タッキファイヤーとしては、ロジン系樹脂、テルペン系樹脂、脂肪族系石油樹脂、芳香族系石油樹脂、水添石油樹脂、スチレン系樹脂、アルキルフェノール樹脂等が挙げられる。
粘着剤層Ａ２の厚さは１０〜１００μｍであることが好ましい。粘着剤層Ａ２が１０μｍ以上であれば、充分な接着強度の粘着剤層Ａ２になる。しかし、１００μｍより高くしても、厚さに応じた接着強度の向上は図れないため、無益になる。
【００１３】
（剥離シート）
ラミネート基材貼合用シート１を構成する剥離シートＢとしては、例えば、周知の剥離シートが使用される。周知の剥離シートとしては、例えば、キャストコート紙、アート紙、コート紙、上質紙、クラフト紙、グラシン紙等の紙の表面に、必要に応じて目止め層を形成した上で、シリコーン系等の剥離剤を塗布した剥離シートなどが挙げられる。
剥離シートＢは、剥離面が粘着剤層Ａ２に接するように配置されている。
剥離シートＢの厚みは２０〜２００μｍであることが好ましい。剥離シートＢが２０μｍ以上であれば、カードの位置決めをより確実なものにでき、２００μｍ以下であれば、ラミネート基材貼合用シートを容易に折り曲げることができる。
【００１４】
（折り曲げ線）
折り曲げ線Ｍは、破断線（ミシン目）であってもよいし、粘着シートＡが外側になるように付与された折り筋であってもよいし、単に線が印刷されているだけでもよい。これらの中でも、折り曲げやすくなる上に、折り曲げ線Ｍに沿って切り取ることも可能になるため、破断線が好ましい。また、破断線は、粘着シートＡが外側になるように折り曲げやすくなることから、剥離シートＢ側から粘着シートＡ側に向かって切り込み刃が差し込まれて形成されていることが好ましい。
【００１５】
（使用方法）
次に、上記ラミネート基材貼合用シート１の使用方法の一例について説明する。
本使用例では、まず、図３に示すように、ラミネート基材貼合用シート１を、剥離シートＢが上になるように、平滑な面１００に載置する。次いで、第３の領域２３の剥離シートＢ（剥離部２３ａ）を剥離して、第１の領域２１の粘着剤層Ａ２の一部Ａ２ａを露出させる。
次いで、図４に示すように、カード嵌め込み部１１に、カードＣを、ラミネート基材を貼合する面Ｃ１を上にして嵌め込む。次いで、図５に示すように、折り曲げ線Ｍに沿って、ラミネート基材供給部２０ａを折り返し、第１の領域２１の粘着剤層Ａ２の一部Ａ２ａをカードＣに貼着して、仮止めする。
次いで、ラミネート基材貼合用シート１を開いた後、図６に示すように、第４の領域２４の剥離シートＢの、第４の打ち抜きＬ４に隣接しない部分２４ａを剥離して、第１の領域２１の粘着剤層Ａ２の残りの一部Ａ２ｂを露出させ、カードＣに貼着する。また、図７に示すように、第４の領域２４の剥離シートＢの、第４の打ち抜きＬ４に隣接する部分２４ｂについても、第４の打ち抜きＬ４まで剥離して、第１の領域２１の粘着剤層Ａ２の残りの一部Ａ２ｃを露出させ、カードＣに貼着する。
剥離シートＢの第４の領域２４が取り除かれたことで、第１の領域２１の粘着シートＡを支持するものが存在しなくなる。そのため、第１の打ち抜きＬ１により第２の領域２２の粘着シートＡから第１の領域２１の粘着シートＡが分離され、図８に示すような、第１の領域２１の粘着シートＡ（ラミネート部２１ａ）が貼合されたカードＣが得られる。
なお、カードＣとしては、紙類のカードが好適であるが、その他の材質のカードであっても構わない。
【００１６】
（製造方法）
次に、上記ラミネート基材貼合用シート１の製造方法の一例について説明する。
本製造例では、ラミネート基材Ａ１と粘着剤層Ａ２と剥離シートＢとからなる汎用の剥離シート付き粘着シートの原反を使用する。すなわち、前記剥離シート付き原反の、ラミネート基材供給部２０ａになる部分の剥離シートＢを打ち抜いて、第２の打ち抜きＬ２、第３の打ち抜きＬ３および第４の打ち抜きＬ４を形成する。このときに用いる打ち抜き刃は、第２の打ち抜きＬ２を形成するための刃と、第３の打ち抜きＬ３を形成するための刃と、第４の打ち抜きＬ４を形成するための刃とが一体化されたものである。
次いで、カード位置決め部１０ａになる部分の粘着シートＡおよび剥離シートＢをカードＣと同形状に打ち抜いてカード嵌め込み部１１を形成すると共に、ラミネート基材供給部２０ａになる部分の粘着シートＡをカードＣと同形状に打ち抜いて第１の打ち抜きＬ１を形成する。このときに用いる打ち抜き刃は、カード位置決め部１０ａになる部分を打ち抜く刃と、ラミネート基材供給部２０ａになる部分を打ち抜く刃とが一体され、カード位置決め部１０ａになる部分を打ち抜く刃の打ち抜き深さが長いものである。このような打ち抜き刃を用いることにより、カード嵌め込み部１１と第１の領域２１との位置精度が高くなる。
次いで、上記のように打ち抜き加工した剥離シート付き粘着シートの原反をラミネート基材貼合用シート１の形状に裁断し、カード嵌め込み部１１と第３の領域２３との中間に折り曲げ線Ｍを設けることによって、ラミネート基材貼合用シート１を得る。
【００１７】
以上説明した第１の実施形態のラミネート基材貼合用シート１では、カード位置決め部１０ａのカード嵌め込み部１１にカードＣを嵌め込むことで、カードＣを位置決めすることができる。
また、ラミネート基材貼合用シート１は、ラミネート基材Ａ１と粘着剤層Ａ２と剥離シートＢとからなるシートの打ち抜きに工夫することで、擬似接着層を使用せずに、カードＣにラミネート基材Ａ１を貼合できるようにされている。したがって、ラミネート基材貼合用シート１は、汎用の粘着シートを用いて簡便に製造でき、少量生産も可能である。
【００１８】
＜第２の実施形態＞
本発明のラミネート基材貼合用シートの第２の実施形態について説明する。
図９，１０に、本実施形態のラミネート基材貼合用シートを示す。本実施形態のラミネート基材貼合用シート２は、粘着シートＡおよび剥離シートＢを有する矩形状のシートであり、折り曲げ線Ｍを境界にして互いに隣接するカード位置決め部１０ｂとラミネート基材供給部２０ａとを備える。
本実施形態におけるラミネート基材供給部２０ａは、第１の実施形態のラミネート基材貼合用シート１におけるラミネート基材供給部２０ａと同様のものである。
【００１９】
本実施形態におけるカード位置決め部１０ｂは、略中央に、カードと同形状で、第５の打ち抜きＬ５によって剥離シートＢが打ち抜かれて剥離可能にされたカード嵌め込み部１３と、カード嵌め込み部１３より外側の部分の非嵌め込み部１４とを有する。
本実施形態におけるカードも、第１の実施形態と同様に、略矩形状でＩＳＯ７８１０のＩＤ−１で規格された寸法の標準サイズのカードである。
また、本実施形態におけるカード位置決め部１０ｂでは、カード嵌め込み部１３の粘着剤層Ａ２の剥離シートＢ側の面Ａ２ｄに、再剥離可能な粘着力に調整する印刷処理が施されて、粘着力調整手段１５が設けられている。
粘着力調整手段１５を設ける量は、粘着剤層Ａ２を形成する粘着剤の粘着力に応じて適宜調整される。すなわち、粘着剤の粘着力が強い程、粘着力調整手段１５を多く設ける。
このラミネート基材貼合用シート２は、使用の際に、図１１，１２に示されるように、カード嵌め込み部１３の剥離シートＢを剥離して、粘着剤層Ａ２の粘着力調整手段１５が設けられた部分を露出させるものである。
【００２０】
（使用方法）
次に、上記ラミネート基材貼合用シート２の使用方法の一例について説明する。
本使用例では、まず、図１３に示すように、ラミネート基材貼合用シート２を、剥離シートＢが上になるように、平滑な面に載置する。次いで、カード嵌め込み部１３の剥離シートＢ（剥離部１３ａ）を剥離して、粘着剤層Ａ２ｄを露出させ、また、第３の領域２３の剥離シートＢ（剥離部２３ａ）を剥離して、第１の領域２１の粘着剤層Ａ２の一部Ａ２ａを露出させる。
次いで、図１４に示すように、カード嵌め込み部１３に、カードＣを、ラミネート基材を貼合する面Ｃ１を上にして嵌め込むと共に粘着剤層Ａ２ｄに貼着させて、仮止めする。次いで、図１５に示すように、折り曲げ線Ｍに沿って、ラミネート基材供給部２０ａを折り返し、第１の領域２１の粘着剤層Ａ２の一部Ａ２ａをカードに貼着して、仮止めする。
次いで、粘着剤層Ａ２ｄからカードＣを剥離して、ラミネート基材貼合用シート２を開いた後、図１６に示すように、第４の領域２４の剥離シートＢの、第４の打ち抜きＬ４に隣接しない部分２４ａを剥離して、第１の領域２１の粘着剤層Ａ２の残りの一部Ａ２ｂを露出させ、カードＣに貼着する。また、図１７に示すように、第４の領域２４の剥離シートＢの、第４の打ち抜きＬ４に隣接する部分２４ｂについても、第４の打ち抜きＬ４まで剥離して、第１の領域２１の粘着剤層Ａ２の残りの一部Ａ２ｃを露出させ、カードＣに貼着する。
剥離シートＢの第４の領域２４が取り除かれたことで、第１の領域２１の粘着シートＡを支持するものが存在しなくなる。そのため、第１の打ち抜きＬ１により第２の領域２２の粘着シートＡから第１の領域２１の粘着シートＡが分離され、図８に示すような、第１の領域２１の粘着シートＡ（ラミネート部２１ａ）が貼合されたカードＣが得られる。
【００２１】
（製造方法）
次に、上記ラミネート基材貼合用シート２の製造方法の一例について説明する。
本製造例では、ラミネート基材Ａ１と粘着剤層Ａ２と剥離シートＢとからなる汎用の剥離シート付き粘着シートの原反を使用する。すなわち、前記剥離シート付き原反の剥離シートＢを一旦剥離し、カード嵌め込み部１３になる部分の粘着剤層Ａ２に、再剥離可能な粘着力に調整する印刷処理を施して、粘着力調整手段１５を設ける。その際の印刷は、グラビア印刷、オフセット印刷、スクリーン印刷、インクジェット印刷など公知の印刷方法を適用することができる。
次いで、剥離剤層Ａ２に剥離シートＢを再貼合し、カード位置決め部１０ｂの剥離シートＢを打ち抜き、第５の打ち抜きＬ５を形成して、カード嵌め込み部１３を形成すると共に、ラミネート基材供給部２０ａになる部分の剥離シートＢを打ち抜いて、第２の打ち抜きＬ２、第３の打ち抜きＬ３および第４の打ち抜きＬ４を形成する。このときに用いる打ち抜き刃は、第２の打ち抜きＬ２を形成するための刃と、第３の打ち抜きＬ３を形成するための刃と、第４の打ち抜きＬ４を形成するための刃と、第５の打ち抜きＬ５を形成するための刃とが一体化されたものである。
次いで、ラミネート基材供給部２０ａになる部分の粘着シートＡをカードＣと同形状に打ち抜いて第１の打ち抜きＬ１を形成する。
次いで、上記のように打ち抜き加工した剥離シート付き粘着シートの原反をラミネート基材貼合用シート２の形状に裁断し、カード嵌め込み部１３と第３の領域２３との中間に折り曲げ線Ｍを設けることによって、ラミネート基材貼合用シート２を得る。
【００２２】
以上説明した第２の実施形態のラミネート基材貼合用シート２では、カード位置決め部１０ｂのカード嵌め込み部１３の剥離シートＢ（剥離部１３ａ）を剥離し、その剥離シートＢのあった部分にカードＣを嵌め込み、粘着剤層Ａ２ｄに再剥離可能に貼着することで、カードＣを位置決めすることができる。
また、ラミネート基材貼合用シート２は、ラミネート基材Ａ１と粘着剤層Ａ２と剥離シートＢとからなるシートの打ち抜きに工夫することで、擬似接着層を使用せずに、カードＣにラミネート基材Ａ１を貼合できるようにされている。したがって、ラミネート基材貼合用シート２は、汎用の粘着シートを用いて簡便に製造でき、少量生産も可能である。
さらに、第２の実施形態のラミネート基材貼合用シート２では、カード嵌め込み部１３の粘着剤層Ａ２ｂにカードＣを貼着して仮止めした状態で、第１の領域２１の粘着シートＡを貼着するため、カードＣをより正確に位置決めすることができる。ただし、粘着剤層Ａ２ｂに粘着力調整手段１５を設ける手間は必要になる。
【００２３】
＜第３の実施形態＞
本発明のラミネート基材貼合用シートの第３の実施形態について説明する。
図１８に、本実施形態のラミネート基材貼合用シートを示す。本実施形態のラミネート基材貼合用シート３は、粘着シートＡおよび剥離シートＢを有する矩形状のシートであり、カード位置決め部１０ａと、カード位置決め部１０ａに第１の折り曲げ線Ｍ１を境界にして隣接する第１のラミネート基材供給部２０ｂと、カード位置決め部１０ａに第２の折り曲げ線Ｍ２を境界にして隣接する第２のラミネート基材供給部２０ｃとを備える。本実施形態では、第１の折り曲げ線Ｍ１および第２の折り曲げ線Ｍ２は、カード位置決め部１０ａの短辺に設けられている。
本実施形態におけるカード位置決め部１０ａは、第１の実施形態のラミネート基材貼合用シート１におけるカード位置決め部１０ａと同様のものである。
本実施形態における第１のラミネート基材供給部２０ｂおよび第２のラミネート基材供給部２０ｃは、第１の実施形態のラミネート基材貼合用シート１におけるラミネート基材供給部２０ａと同様のものである。
【００２４】
本実施形態のラミネート基材貼合用シート３は、カードの両面にラミネート基材を貼合する際に使用される。
すなわち、カードの一方の面について、第１のラミネート基材供給部２０ｂを使用し、第１の実施形態例の使用方法と同様にして、第１の領域２１の粘着シートＡ（ラミネート部２１ａ）を貼合する。次いで、カードを表裏反転させて、カード位置決め部１０ａのカード嵌め込み部１１に嵌め込み、第２のラミネート基材供給部２０ｃを使用し、第１の実施形態例の使用方法と同様にして、第１の領域２１の粘着シートＡ（ラミネート部２１ａ）を貼合する。これにより、カードの両面に第１の領域２１の粘着シートＡ（ラミネート部２１ａ）を貼合する。
【００２５】
本実施形態のラミネート基材貼合用シート３のカード位置決め部１０ａは、第１の実施形態におけるカード位置決め部１０ａと同様に形成される。また、第１のラミネート基材供給部２０ｂおよび第２のラミネート基材供給部２０ｃは、第１の実施形態におけるラミネート基材供給部２０ａと同様に形成される。なお、第１のラミネート基材供給部２０ｂの形成と第２のラミネート基材供給部２０ｃの形成とは、同時に行ってもよいし、一方を先に行ってもよい。
【００２６】
以上説明した第３の実施形態のラミネート基材貼合用シート３では、カード位置決め部１０ａのカード嵌め込み部１１にカードＣを嵌め込むことで、カードＣを位置決めすることができる。
また、ラミネート基材貼合用シート３は、ラミネート基材Ａ１と粘着剤層Ａ２と剥離シートＢとからなるシートの打ち抜きに工夫することで、擬似接着層を使用せずに、カードＣの両面にラミネート基材Ａ１を貼合できるようにされている。したがって、ラミネート基材貼合用シート３は、汎用の粘着シートを用いて簡便に製造でき、少量生産も可能である。
【００２７】
＜第４の実施形態＞
本発明のラミネート基材貼合用シートの第４の実施形態について説明する。
図１９，２０に、本実施形態のラミネート基材貼合用シートを示す。本実施形態のラミネート基材貼合用シート４は、粘着シートＡおよび剥離シートＢを有する矩形状のシートが、折り曲げ線Ｍを境界にして互いに隣接するカード位置決め部１０ａとラミネート基材供給部２０ｄとを備える。
本実施形態におけるカード位置決め部１０ａは、第１の実施形態のラミネート基材貼合用シート１におけるカード位置決め部１０ａと同様のものである。
【００２８】
本実施形態におけるラミネート基材供給部２０ｄは、折り曲げ線Ｍに沿ってカード位置決め部１０ａに折り重ねた際にカード嵌め込み部１１と重なる部分の内側に形成された第１の領域２５と、第１の領域２５より外側の第２の領域２６とに区分されている。第２の領域２６は、折り曲げ線近傍部２６ａを除いた部分２６ｂの粘着シートが除去されて、剥離シートＢのみになっている。ここで、折り曲げ線近傍部２６ａは、折り曲げ線Ｍの近傍に位置すると共に折り曲げ線Ｍに平行な部分のことである。
また、ラミネート基材供給部２０ｄは、剥離シートＢに形成された第２の打ち抜きＬ２により、第２の打ち抜きＬ２の内側の第３の領域２３と、第２の打ち抜きＬ２の外側の第４の領域２４とに区分されている。本実施形態における第２の打ち抜きＬ２は、第１の領域２５の周縁γと重複しないように形成されている。第２の打ち抜きＬ２により、第３の領域２３の剥離シートＢは第４の領域２４の剥離シートＢから分離可能になっている。また、本実施形態における第３の領域２３は、第１の領域２５の略中央部に重なっている。
また、第４の領域２４には、第２の打ち抜きＬ２からラミネート基材供給部２０ａの長辺の周縁α，βに延び、折り曲げ線Ｍに平行な第３の打ち抜きＬ３が形成されている。
【００２９】
第４の実施形態における第２の打ち抜きＬ２および第３の打ち抜きＬ３は、剥離シートＢを連続的に切り込んだ連続切り込み線であってもよいし、剥離シートＢを断続的に切り込んだ破断線（ミシン目）であってもよい。これらのうち、第２の打ち抜きＬ２は、連続切り込み線であることが好ましい。第２の打ち抜きＬ２が連続切り込み線であれば、剥離シートＢを剥離しやすくなる。
第４の実施形態における第３の打ち抜きＬ３は破断線であることが好ましい。第３の打ち抜きＬ３が破断線であれば、後述するように第１の領域２５の粘着剤層Ａ２の一部Ａ２ａをカードＣに貼着するまで、第４の領域２４の剥離シートＢを第１の領域２５の粘着剤層Ａ２に確実に保持させることができる。
【００３０】
（使用方法）
ラミネート基材貼合用シート４は、カードの表面の一部のみにラミネート基材を貼合する用途に用いられる。
上記ラミネート基材貼合用シート４の使用方法の一例について説明する。
本使用例では、まず、図２１に示すように、ラミネート基材貼合用シート４を、剥離シートＢが上になるように、平滑な面１００に載置する。次いで、第３の領域２３の剥離シートＢ（剥離部２３ａ）を剥離して、第１の領域２５の粘着剤層Ａ２の一部Ａ２ａを露出させる。
次いで、図２２に示すように、カード嵌め込み部１１に、カードＣを、ラミネート基材を貼合する面Ｃ１を上にして嵌め込む。次いで、図２３に示すように、折り曲げ線Ｍに沿って、ラミネート基材供給部２０ｄを折り返し、第１の領域２５の粘着剤層Ａ２の一部Ａ２ａをカードＣに貼着して、仮止めする。
次いで、ラミネート基材貼合用シート４を開いた後、図２４に示すように、第４の領域２４の剥離シートＢの、折り曲げ線Ｍから離れた側の部分２４ａを剥離して、第１の領域２５の粘着剤層Ａ２の残りの一部Ａ２ｂを露出させ、カードＣに貼着する。また、図２５に示すように、第４の領域２４の剥離シートＢの、折り曲げ線Ｍ側の部分２４ｂについても剥離して、第１の領域２５の粘着剤層Ａ２の残りの一部Ａ２ｃを露出させ、カードＣに貼着する。
剥離シートＢの第４の領域２４が取り除かれたことで、第１の領域２５の粘着シートＡを支持するものが存在しなくなる。そのため、図２６に示すような、第１の領域２５の粘着シートＡ（ラミネート部２５ａ）が貼合されたカードＣが得られる。
【００３１】
（製造方法）
次に、上記ラミネート基材貼合用シート４の製造方法の一例について説明する。
本製造例では、ラミネート基材Ａ１と粘着剤層Ａ２と剥離シートＢとからなる汎用の剥離シート付き粘着シートの原反を使用する。すなわち、前記剥離シート付き原反の、ラミネート基材供給部２０ａになる部分の剥離シートＢを打ち抜いて、第２の打ち抜きＬ２および第３の打ち抜きＬ３を形成する。このときに用いる打ち抜き刃は、第２の打ち抜きＬ２を形成するための刃と、第３の打ち抜きＬ３を形成するための刃とが一体化されたものである。
次いで、カード位置決め部１０ａになる部分の粘着シートＡおよび剥離シートＢをカードＣと同形状に打ち抜いてカード嵌め込み部１１を形成すると共に、ラミネート基材供給部２０ａになる部分の粘着シートＡを第１の領域２５の周縁に沿って打ち抜いて第１の打ち抜きＬ１を形成する。このときに用いる打ち抜き刃は、カード位置決め部１０ａになる部分を打ち抜く刃と、ラミネート基材供給部２０ｄになる部分を打ち抜く刃とが一体され、カード位置決め部１０ａになる部分を打ち抜く刃の打ち抜き深さが長いものである。この打ち抜き刃のこのような打ち抜き刃を用いることにより、カード嵌め込み部１１と第１の領域２５との位置精度が高くなる。
次いで、第２の領域２６の、折り曲げ線近傍部２６ａを除いた部分２６ｂの粘着シートを剥離して除去する。
次いで、上記のように打ち抜き加工した剥離シート付き粘着シートの原反をラミネート基材貼合用シート４の形状に裁断し、カード嵌め込み部１１と第３の領域２３との中間に折り曲げ線Ｍを設けることによって、ラミネート基材貼合用シート４を得る。
【００３２】
以上説明した第４の実施形態のラミネート基材貼合用シート４では、カード位置決め部１０ａのカード嵌め込み部１１にカードＣを嵌め込むことで、カードＣを位置決めすることができる。
また、ラミネート基材貼合用シート４は、ラミネート基材Ａ１と粘着剤層Ａ２と剥離シートＢとからなるシートの打ち抜きに工夫することで、擬似接着層を使用せずに、カードＣにラミネート基材Ａ１を貼合できるようにされている。したがって、ラミネート基材貼合用シート４は、汎用の粘着シートを用いて簡便に製造でき、少量生産も可能である。
【００３３】
＜第５の実施形態＞
本発明のラミネート基材貼合用シートの第５の実施形態について説明する。
図２７に、本実施形態のラミネート基材貼合用シートを示す。本実施形態のラミネート基材貼合用シート５は、粘着シートＡおよび剥離シートＢを有する矩形状のシートであり、カード位置決め部１０ａと、カード位置決め部１０ａに第１の折り曲げ線Ｍ１を境界にして隣接する第１のラミネート基材供給部２０ｅと、カード位置決め部１０ａに第２の折り曲げ線Ｍ２を境界にして隣接する第２のラミネート基材供給部２０ｆとを備える。本実施形態では、第１の折り曲げ線Ｍ１および第２の折り曲げ線Ｍ２は、カード位置決め部１０ａの短辺に設けられている。
本実施形態におけるカード位置決め部１０ａは、第１の実施形態のラミネート基材貼合用シート１におけるカード位置決め部１０ａと同様のものである。
本実施形態における第１のラミネート基材供給部２０ｅは、第１の実施形態のラミネート基材貼合用シート１におけるラミネート基材供給部２０ａと同様のものであり、第２のラミネート基材供給部２０ｆは、第４の実施形態のラミネート基材貼合用シート４におけるラミネート基材供給部２０ｄと同様のものである。
【００３４】
本実施形態のラミネート基材貼合用シート５は、カードの一方の面の全面にラミネート基材を貼合し、カードの他方の面の一部にラミネート基材を貼合する際に使用される。
すなわち、カードの一方の面について、第１のラミネート基材供給部２０ｅを使用し、第１の実施形態例の使用方法と同様にして、第１の領域２１の粘着シートＡ（ラミネート部２１ａ）を貼合する。次いで、カードを表裏反転させて、カード位置決め部１０ａのカード嵌め込み部１１に嵌め込み、第２のラミネート基材供給部２０ｆを使用し、第１の実施形態例の使用方法と同様にして、第１の領域２１の粘着シートＡを貼合する。これにより、カードの一方の面の全面に第１の領域２１の粘着シートＡ（ラミネート部２１ａ）を貼合し、カードの他方の面の一部に第１の領域２５の粘着シートＡ（ラミネート部２５ａ）を貼合する。
【００３５】
本実施形態のラミネート基材貼合用シート５のカード位置決め部１０ａは、第１の実施形態におけるカード位置決め部１０ａと同様に形成される。また、第１のラミネート基材供給部２０ｅは、第１の実施形態におけるラミネート基材供給部２０ａと同様に形成される。第２のラミネート基材供給部２０ｆは、第４の実施形態におけるラミネート基材供給部２０ｄと同様に形成される。なお、第１のラミネート基材供給部２０ｅの形成と第２のラミネート基材供給部２０ｆの形成とは、同時に行ってもよいし、一方を先に行ってもよい。
【００３６】
以上説明した第５の実施形態のラミネート基材貼合用シート５では、カード位置決め部１０ａのカード嵌め込み部１１にカードＣを嵌め込むことで、カードＣを位置決めすることができる。
また、ラミネート基材貼合用シート５は、ラミネート基材Ａ１と粘着剤層Ａ２と剥離シートＢとからなるシートの打ち抜きに工夫することで、擬似接着層を使用せずに、カードＣの両面にラミネート基材Ａ１を貼合できるようにされている。したがって、ラミネート基材貼合用シート５は、汎用の粘着シートを用いて簡便に製造でき、少量生産も可能である。
【００３７】
＜他の実施形態＞
なお、本発明は上記実施形態に限定されない。
例えば、第１の実施形態におけるラミネート基材供給部２０ａの剥離シートＢは、第３の打ち抜きＬ３および第４の打ち抜きＬ４によって打ち抜かれていなくてもよい。
また、本発明における剥離シートＢの「打ち抜き」は、閉じられた領域を形成するループ状の切り込み線でなくてもよい。例えば、ラミネート基材貼合用シートの端部まで延びる２本の線でもよい。この場合、「打ち抜きの内側」とは、２本の線の間のことである。第２の打ち抜きが２本の線である例を、図２８に示す。図２８に示す例では、ラミネート基材供給部２０ａの剥離シートＢを、第１の領域２１に重なると共に折り曲げ線Ｍに平行な２本の打ち抜きＬ６，Ｌ６によって打ち抜いて、第３の領域２３を形成している。したがって、２本の打ち抜きＬ６，Ｌ６によって剥離シートＢを分離できるようになっている。
また、第２の実施形態におけるラミネート基材供給部２０ａ、第３の実施形態のラミネート基材供給部２０ｂ，２０ｃ、第４の実施形態のラミネート基材供給部２０ｄ、第５の実施形態のラミネート基材供給部２０ｅ，２０ｆにおいても、上記打ち抜きＬ６，Ｌ６によって、第３の領域２３を形成してもよい。
また、ラミネート基材供給部２０ａ，２０ｂ，２０ｃ，２０ｅの剥離シートＢの打ち抜きは、ラミネート基材供給部２０ａ，２０ｂ，２０ｃ，２０ｅのいずれか一辺の第１の位置から延び、第１の領域２１の内側を通過し、前記ラミネート基材供給部２０ａ，２０ｂ，２０ｃ，２０ｅのいずれか一辺の第１の位置とは異なる第２の位置まで延びる線であってもよい。
【００３８】
また、図２９，３０に示すように、第１の領域２１は、その一部に、粘着シートＡが除去された粘着シート除去部２１ａを有してもよい。粘着シート除去部２１ａを有すると、第１の領域２１の粘着シートＡをカードＣの片面に貼合した際には、カードＣの表面に粘着シートＡで被覆されていない部分を形成できる。したがって、カードＣが紙類である場合、第１の領域２１の粘着シートＡを貼合した後、カードＣに情報を筆記や印字することが可能になる。
第１の領域２１と同様に、第１の領域２５についても、粘着シート除去部を有してもよい。
【００３９】
第３，４，５の実施形態においては、カード位置決め部１０ａを第２の実施形態におけるカード位置決め部１０ｂに変更してもよい。
また、第４の実施形態は、第２の領域２６の粘着シートが除去される部分は、折り曲げ線近傍部２６ａを除いた部分２６ｂである必要はなく、少なくともカード位置決め部に折り重ねた際にカード嵌め込み部に重なる部分であればよい。
第４の実施形態は、第３の実施形態と同様に、ラミネート基材供給部２０ｄをカード位置決め部１０ａの両側に１つずつ備えてもよい。
【００４０】
上記実施形態では、カード嵌め込み部１１，１３の長辺がラミネート基材貼合用シート１〜５の長辺に平行になっていたが、カード嵌め込み部１１，１３の短辺がラミネート基材貼合用シート１〜５の長辺に平行に沿っていてもよい。
また、カード位置決め部１０ａ，１０ｂは、カードと同形状に、粘着シートＡが連続切り込み線で打ち抜かれ、剥離シートＢが破断線で打ち抜かれてカード嵌め込み部１１，１３が形成されていてもよい。
また、使用されるカードの形状は、上記の略矩形状に限らず、他のサイズの矩形状であってもよいし、円形状、楕円形状、多角形（例えば、三角形状、正四角形状、菱形状、五角形状、六角形状）、星型状、ハート型状などであってもよい。したがって、カード位置決め部１０ａ，１０ｂにおけるカード嵌め込み部１１，１３の形状は、カードの形状に合うように選択される。
【図面の簡単な説明】
【００４１】
【図１】本発明のラミネート基材貼合用シートの第１の実施形態を示す平面図である。
【図２】図１のＩ−Ｉ’断面図である。
【図３】第１の実施形態のラミネート基材貼合用シートの使用方法を説明する図である。
【図４】第１の実施形態のラミネート基材貼合用シートの使用方法を説明する図である。
【図５】第１の実施形態のラミネート基材貼合用シートの使用方法を説明する図である。
【図６】第１の実施形態のラミネート基材貼合用シートの使用方法を説明する図である。
【図７】第１の実施形態のラミネート基材貼合用シートの使用方法を説明する図である。
【図８】第１の実施形態および第２の実施形態のラミネート基材貼合用シートを使用して得たラミネート基材付きのカードの例を示す図である。
【図９】本発明のラミネート基材貼合用シートの第２の実施形態を示す平面図である。
【図１０】図９のII−II’断面図である。
【図１１】第２の実施形態のラミネート基材貼合用シートの使用方法を説明する図である。
【図１２】第２の実施形態のラミネート基材貼合用シートの使用方法を説明する図である。
【図１３】第２の実施形態のラミネート基材貼合用シートの使用方法を説明する図である。
【図１４】第２の実施形態のラミネート基材貼合用シートの使用方法を説明する図である。
【図１５】第２の実施形態のラミネート基材貼合用シートの使用方法を説明する図である。
【図１６】第２の実施形態のラミネート基材貼合用シートの使用方法を説明する図である。
【図１７】第２の実施形態のラミネート基材貼合用シートの使用方法を説明する図である。
【図１８】本発明のラミネート基材貼合用シートの第３の実施形態を示す平面図である。
【図１９】本発明のラミネート基材貼合用シートの第４の実施形態を示す平面図である。
【図２０】図１９のIII−III’断面図である。
【図２１】第４の実施形態のラミネート基材貼合用シートの使用方法を説明する図である。
【図２２】第４の実施形態のラミネート基材貼合用シートの使用方法を説明する図である。
【図２３】第４の実施形態のラミネート基材貼合用シートの使用方法を説明する図である。
【図２４】第４の実施形態のラミネート基材貼合用シートの使用方法を説明する図である。
【図２５】第４の実施形態のラミネート基材貼合用シートの使用方法を説明する図である。
【図２６】第４の実施形態のラミネート基材貼合用シートを使用して得たラミネート基材付きのカードの例を示す平面図である。
【図２７】本発明のラミネート基材貼合用シートの第５の実施形態を示す平面図である。
【図２８】本発明のラミネート基材貼合用シートの他の実施形態を示す平面図である。
【図２９】本発明のラミネート基材貼合用シートの他の実施形態を示す平面図である。
【図３０】図２９のIV−IV’断面図である。
【符号の説明】
【００４２】
１，２，３，４，５  ラミネート基材貼合用シート
１０ａ，１０ｂ  カード位置決め部
１１，１３  カード嵌め込み部
１２，１４  非嵌め込み部
１５  粘着力調整手段
２０ａ，２０ｂ，２０ｃ，２０ｄ，２０ｅ，２０ｆ  ラミネート基材供給部
２１，２５  第１の領域
２２，２６  第２の領域
２３  第３の領域
２４  第４の領域
Ａ  粘着シート
Ａ１  ラミネート基材
Ａ２  粘着剤層
Ｂ  剥離シート
Ｃ  カード
Ｍ  折り曲げ線
Ｍ１  第１の折り曲げ線
Ｍ２  第２の折り曲げ線
Ｌ１  第１の打ち抜き
Ｌ２  第２の打ち抜き
Ｌ３  第３の打ち抜き
Ｌ４  第４の打ち抜き
Ｌ５  第５の打ち抜き
【図１】
2010149351.tif 000003
【図２】
2010149351.tif 000004
【図３】
2010149351.tif 000005
【図４】
2010149351.tif 000006
【図５】
2010149351.tif 000007
【図６】
2010149351.tif 000008
【図７】
2010149351.tif 000009
【図８】
2010149351.tif 000010
【図９】
2010149351.tif 000011
【図１０】
2010149351.tif 000012
【図１１】
2010149351.tif 000013
【図１２】
2010149351.tif 000014
【図１３】
2010149351.tif 000015
【図１４】
2010149351.tif 000016
【図１５】
2010149351.tif 000017
【図１６】
2010149351.tif 000018
【図１７】
2010149351.tif 000019
【図１８】
2010149351.tif 000020
【図１９】
2010149351.tif 000021
【図２０】
2010149351.tif 000022
【図２１】
2010149351.tif 000023
【図２２】
2010149351.tif 000024
【図２３】
2010149351.tif 000025
【図２４】
2010149351.tif 000026
【図２５】
2010149351.tif 000027
【図２６】
2010149351.tif 000028
【図２７】
2010149351.tif 000029
【図２８】
2010149351.tif 000030
【図２９】
2010149351.tif 000031
【図３０】
2010149351.tif 000032